(57)【特許請求の範囲】
【請求項１】
患者に処方された薬品、処方日、及び処方内容を記憶する薬歴記憶手段と、
前記薬歴記憶手段に記憶された情報から、当該患者に過去に処方された１以上の薬品について、処方日及び処方内容を時系列で一覧可能な薬歴表を生成し、出力手段に出力する薬歴表生成手段と、
を備え、
前記薬歴表は、マトリックス状に形成され、同じ行又は同じ列に、同じ薬品の処方内容を時系列で表示し、異なる薬品で有効成分が互いに同じ薬品の処方内容を互いに隣接する行又は互いに隣接する列に表示する
ことを特徴とする薬歴情報提供装置。
【請求項２】
前記薬歴表は、同じ薬品について前回処方日から処方内容に変化があった場合に、変化があった処方日の処方内容の表示が強調表示されたものであることを特徴とする請求項１に記載の薬歴情報提供装置。
【請求項３】
前記薬歴表は、最も近時に処方された薬品の処方内容を、行の最上部又は列の最左部に表示することを特徴とする請求項１又は２に記載の薬歴情報提供装置。
【請求項４】
前記薬歴表は、同じ薬品で有効成分の含量が互いに異なる薬品の処方内容を同じ行又は同じ列に表示することを特徴とする請求項１から３のいずれか１項に記載の薬歴情報提供装置。
【請求項５】
前記薬歴表は、同じ薬品で有効成分の含量が互いに異なる薬品の処方内容を互いに隣接する行又は互いに隣接する列に表示することを特徴とする請求項１から３のいずれか１項に記載の薬歴情報提供装置。
【請求項６】
前記薬歴表は、各薬品について予め設定された重要度の高さに応じて、行の並び若しくは列の並びがソートされた又は強調表示されたものであることを特徴とする請求項１から５のいずれか１項に記載の薬歴情報提供装置。
【請求項７】
前記処方内容は、処方日数及び／又は用量であることを特徴とする請求項１から６のいずれか１項に記載の薬歴情報提供装置。
【請求項８】
コンピュータを請求項１から７のいずれか１項に記載の薬歴情報提供装置として機能させるためのプログラム。
【発明の詳細な説明】
【技術分野】
【０００１】
本発明は、主治医やその協力医が患者の薬歴を一覧することを可能とする薬歴情報提供装置及びプログラムに関する。
【背景技術】
【０００２】
医師が患者を診察した際にはカルテを記入し、薬品を処方した際にはその内容もカルテに記入する。カルテは、診察の都度追記され、患者が診察を受けた医療機関で保管される。そして、医師が患者を診察した履歴や過去に処方した薬品の履歴の確認は、過去に記入されたカルテを参照することにより行われる。また、規模が小さい医療機関では患者に対する薬品の提供を、院外処方箋により薬局に委ねていることが多いため、飲み合わせ等の確認を目的に、一般に薬局においても過去に処方された薬品の履歴を管理しており、管理を行うためのシステムを導入している薬局も多い。既存の処方管理システムとして、例えば特許文献１に記載のものが挙げられる。
【先行技術文献】
【特許文献】
【０００３】
【特許文献１】特開２０１４−１０２７０７号公報
【発明の概要】
【発明が解決しようとする課題】
【０００４】
医師が患者の過去の病歴を確認する場合、カルテを遡るのが最も確実かつ詳細に確認できる手段である。しかし、カルテは診察の都度追記されていくものであるため、時系列的に情報を得るには記載を辿っていく必要があり、特に複数ページにわたる場合には、確認に手間と時間を要する。また、主治医が不在で他の医師が診察する際に患者の過去の病歴を確認する場合、前記の問題点に加え、他人が記載したカルテの解読に手間がかかる場合がある。更に、既存の処方管理システムは、基本的に薬局において飲み合わせや長期連用等を確認するために用いられるものであり、医師が患者の薬歴から過去の病歴を速やかに把握するという用途には最適化されていない。
【０００５】
本発明は、患者が医療機関で受診した際にはその時の病状に応じた薬品が処方されることが一般的であることに鑑み、患者の薬歴を一覧可能な薬歴表を生成し出力する薬歴情報提供装置及びプログラムを提供し、患者の薬歴から過去の病歴を速やかに把握可能とすることを目的とする。
【課題を解決するための手段】
【０００６】
本発明の薬歴情報提供装置は、患者に処方された薬品、処方日、及び処方内容を記憶する薬歴記憶手段と、薬歴記憶手段に記憶された情報から、当該患者に過去に処方された１以上の薬品について、処方日及び処方内容を時系列で一覧可能な薬歴表を生成し、出力手段に出力する薬歴表生成手段と、を備える。これにより、医師が患者の薬歴を俯瞰することができ、俯瞰した薬歴からいかなる疾病に罹患してきたかを概ね推測できるため、カルテを参照しなくても患者の過去の病歴を速やかに把握することができる。
【０００７】
薬歴表は、例えばマトリックス状に形成し、同じ行又は同じ列に、同じ薬品の処方内容を時系列で表示するよう構成する。これにより各薬品の処方履歴、処方の連続性、及び同時に処方されている薬品を、左右や上下に視線をずらしたり画面をスクロールさせたりするだけで容易に確認することができる。
【０００８】
薬歴表は、同じ薬品について前回処方日から処方内容に変化があった場合に、変化があった処方日の処方内容の表示を強調表示するようにしてもよい。これにより、当該薬品の処方理由たる患者の疾病の状態変化があったことを見逃すのを防ぐことができる。
【０００９】
薬歴表は、最も近時に処方された薬品の処方内容を、行の最上部又は列の最左部に表示するようにしてもよい。患者の現在の状態は、患者の近時の状態に依存している可能性が高いことから、近時に処方された薬品の処方内容を薬歴表の目に入りやすい位置に配置することで、速やかに患者の近時の状態を把握し、患者の現在の状態の診断に活かすことができる。
【００１０】
薬歴表は、同じ薬品で有効成分の含量が互いに異なる薬品の処方内容を同じ行又は同じ列に表示するようにしてもよい。含量が異なっていても、一般に処方の根拠となる疾病は同じであるため、同じ行又は同じ列に表示することで、処方の連続性の誤認や過去の処方履歴の見落としを防ぐことができる。
【００１１】
薬歴表は、同じ薬品で有効成分の含量が互いに異なる薬品の処方内容を互いに隣接する行又は互いに隣接する列に表示するようにしてもよい。含量が異なっていても、一般に処方の根拠となる疾病は同じであること、また、処方する用量によっては同じ日に、有効成分の含量が互いに異なる同じ薬品が複数同時に処方される場合があり、このような場合には同じ行又は同じ列に収まりきらないことから、互いに隣接する行又は互いに隣接する列に表示することで、処方の連続性の誤認や過去の処方履歴の見落としを防ぐことができる。
【００１２】
薬歴表は、異なる薬品で有効成分が互いに同じ薬品の処方内容を互いに隣接する行又は互いに隣接する列に表示するようにしてもよい。先発医薬品と後発医薬品は、一般に同じ疾病に対して処方されるため、互いに隣接する行又は互いに隣接する列に表示することで、処方の連続性の誤認や過去の処方履歴の見落としを防ぐことができる。
【００１３】
薬歴表は、各薬品について予め設定された重要度の高さに応じて、行の並び若しくは列の並びをソートする又は強調表示するようにしてもよい。これにより、重要な疾患に係る薬品の過去の処方履歴の見落としを防ぐことができる。
【００１４】
薬歴表に表示する処方内容は、一般に１日の処方用量や処方期間が問題となるため、例えば用量及び／又は処方日数とするとよい。
【図面の簡単な説明】
【００１５】
【図１】本発明の薬歴情報提供装置の構成例を示す図である。
【図２】薬歴表の一例を示す図である。
【図３】図２の薬歴表において、複数の薬品で行を共用する例を示す図である。
【図４】図２の薬歴表において、処方が変化した部分の表示を強調する例を示す図である。
【図５】図２の薬歴表において、最も近時の処方でソートした例を示す図である。
【図６】図２の薬歴表において、同じ薬品で互いに異なる含量の製品を同一行に表示した例を示す図である。
【図７】図２の薬歴表において、同じ薬品で互いに異なる含量の製品を互いに隣接する行に表示した例を示す図である。
【図８】図２の薬歴表において、異なる薬品で有効成分が互いに同じ薬品を互いに隣接する行に表示した例を示す図である。
【図９】図２の薬歴表において、薬品の重要度の高さでソートした例を示す図である。
【発明を実施するための形態】
【００１６】
以下、図面を参照して本発明の実施形態を説明する。
【００１７】
本発明の薬歴情報提供装置１０は、例えば、コンピュータシステムであり、キーボード、マウス、タッチパネル等の入力手段、ＣＰＵ（Central Processing Unit）等の演算部及びＲＡＭ（Random Access Memory）、ＲＯＭ（read only memory）等の記憶手段を備えた本体、及び各種ディスプレイやプリンタ等の出力手段から構成される。
【００１８】
図１に示すように、薬歴情報提供装置１０は、少なくとも薬歴記憶手段１１及び薬歴表生成手段１２を備え、各種ディスプレイやプリンタ等の出力手段１３において薬歴表の表示等を行う。薬歴情報提供装置１０を、通信手段を備える外部の端末装置３０からインターネット等のネットワーク２０を介して利用可能とする場合には、薬歴情報提供装置１０は更に通信手段２１を備え、端末装置３０は自身が備える出力手段において薬歴表の表示等を行う。通信方式は有線、無線を問わず任意である。
【００１９】
薬歴記憶手段１１には、患者の診察をした医師やその協力医が、診察の都度入力した薬品、処方日、及び処方内容が記憶されている。処方内容は、一般に処方日数や、１日の処方用量、すなわち１回の処方用量、１日の服用回数及び服用タイミングが問題となるため、例えば、処方日数及び／又は用量とするとよい。
【００２０】
薬歴表生成手段１２は、薬歴記憶手段１１に記憶された情報から、当該患者に過去に処方された１以上の薬品について、処方日及び処方内容を時系列で一覧可能な薬歴表を生成し、出力手段に出力する。薬歴表は、例えば図２に示すようなマトリックス状に形成し、同じ行又は同じ列に、同じ薬品の処方内容を時系列で表示するよう構成する。図２は、同じ行に同じ薬品の処方内容を時系列で表示した例である。この例は、近時４回の処方において、有効成分が互いに異なる薬品ＡからＦの錠剤と薬品Ｇの顆粒とが処方されており、Ｂの薬品については有効成分の含量が互いに異なる２薬品が処方されている場合を示したものである。各行への薬品の並べ方は任意である。各列においては、同じ日に処方された薬品が表示され、前回処方されたものの当該日に処方されなかった薬品については空欄となっている。
【００２１】
このような薬歴表を生成し参照可能とすることで、医師が患者の薬歴を俯瞰することができ、薬歴からいかなる疾病に罹患してきたかを概ね推測できるため、カルテを参照しなくても患者の過去の病歴を速やかに把握することができる。また、薬歴表をマトリックス状に形成し、同じ行又は同じ列に、同じ薬品の処方内容を時系列で表示するよう構成することで、各薬品の処方履歴、処方の連続性、及び同時に処方されている薬品を、左右や上下に視線をずらしたりスクロールさせたりするだけで容易に確認することができる。
【００２２】
なお、必ず図２の例のように各種類・製品ごとに行を設けて表示するようにすると、或る時期にのみ処方され、その他の時期には処方されない薬品についても行や列が割り当てられ、全体の行数や列数の増加により情報の俯瞰性が損なわれる恐れがある。そこで、処方が単発的なものについては、行や列を共用するようにしてもよい。例えば、図２の例ではＢ錠330mgとＧ顆粒がそれぞれ１回のみの処方であることから、図３の例に示すようにこれらを同じ行に表示することが挙げられる。このようにすることで、全体の行数や列数の増加を抑制し、情報の俯瞰性を確保することができる。
【００２３】
薬歴表は、同じ薬品について前回処方日から処方内容に変化があった場合に、変化があった処方日の処方内容の表示を強調表示するようにしてもよい。強調表示の方法は任意であり、例えば、文字の字体、サイズ、フォントを変える、欄の背景を着色する等の方法が挙げられる。図４は図２の例において、同じ薬品について前回処方日から処方内容に変化があった場合に、変化があった処方日の処方内容の表示を、背景を着色することにより強調表示した例である。この例では、Ｃ錠について１月８日の処方では服用タイミングが朝・夕食後であったのが、１月２２日の処方では毎食後と変化し、更に２月１２日の処方で再度朝・夕食後に変化しているため、１月２２日と２月１２日の表示につき強調表示されている。なお、処方内容に変化があった場合のほか、或る薬品が初めて処方された日の表示を強調表示してもよい。
【００２４】
このように強調表示することで、当該薬品の処方理由たる患者の疾病の状態変化があったことを見逃すのを防ぐことができる。また、初めて処方された日の表示を強調表示することで、患者が当該薬品に係る疾病にどの程度の期間罹患しているかを速やかに把握することができる。
【００２５】
薬歴表は、最も近時に処方された薬品の処方内容を、行の最上部又は列の最左部に表示するようにしてもよい。図５は図２の例において、最も近時である２月１２日に処方されたＡ錠からＦ錠の６薬品について、行の最上部の６行に記載した例を示したものである。
【００２６】
患者の現在の状態は、患者の近時の状態に依存している可能性が高いことから、近時に処方された薬品の処方内容を薬歴表の目に入りやすい位置に配置することで、速やかに患者の近時の状態を把握し、患者の現在の状態の診断に活かすことができる。
【００２７】
薬歴表は、同じ薬品で有効成分の含量が異なる薬品の処方内容を同じ行又は同じ列に表示するようにしてもよい。図２のＢ錠については250mg錠剤が４回のうち１回（１月２２日）処方されておらず連続性が失われているとも思える。しかし、１月２２日には代わりに330mg錠剤が処方されており、従ってＢ錠は連続して処方されている。そこで、例えば図６に示すように、有効成分の含量が互いに異なる２薬品が処方されている薬品Ｂについて同じ行に表示する。
【００２８】
このように、含量が異なっていても一般に処方の根拠となる疾病は同じである場合が多いため、同じ行又は同じ列に表示することで、処方の連続性の誤認や過去の処方履歴の見落としを防ぐことができる。
【００２９】
なお、同じ行に表示することで、含量に変化があったことを見落とす恐れが新たに生じるため、含量の変化があった日について強調表示するとよい。図６の例では、３３０ｍｇに増えた１月２２日と２５０ｍｇに戻った２月１２日の両日について強調表示してもよいし、１回だけ変化がありその後はそれ以前と同じ処方内容に戻っていることから、他と異なる１月２２日だけを強調表示してもよい。
【００３０】
薬歴表は、同じ薬品で有効成分の含量が互いに異なる薬品の処方内容を互いに隣接する行又は互いに隣接する列に表示するようにしてもよい。図７は図２の例において、有効成分の含量が互いに異なる２薬品が処方されている薬品Ｂについて互いに隣接する行に表示した例を示したものである。
【００３１】
必ずしも図６の例のように、同じ薬品で有効成分の含量が互いに異なる薬品の処方内容を同じ行又は同じ列に表示しなくても隣接する行又は隣接する列に表示することで、処方の連続性の誤認や過去の処方履歴の見落としをある程度防ぐことができる。また、処方する用量によっては同じ日に、有効成分の含量が互いに異なる同じ薬品が複数同時に処方される場合があり、含量が互いに異なる薬品を別製品として扱う限り、このような場合には同じ行又は同じ列に収まりきらない。例えば、或る薬品の錠剤について、5mg錠剤と2.5mg錠剤があったときに、各１錠ずつで7.5mgを処方する場合等である。そこで、このような場合に互いに隣接する行又は隣接する列に表示することで処方の連続性の誤認や過去の処方履歴の見落としを防ぐことができる。もっとも、処方内容を入力する際に含量が互いに異なる薬品を別製品として扱わずに用量を足し合わせた上で入力し、図６の例のように同じ行又は同じ列に表示するように構成してももちろん構わない。
【００３２】
薬歴表は、異なる薬品で有効成分が互いに同じ薬品の処方内容を互いに隣接する行又は互いに隣接する列に表示するようにしてもよい。例えば、図２の例で１月２２日にＢ錠330mgの代わりにＢ錠の後発医薬品であるＨ錠250mgが処方され、その他の日はＢ錠250mg
が処方されている場合には、図８に示すように表示する。
【００３３】
先発医薬品と後発医薬品は、一般に同じ疾病に対して処方されるため、互いに隣接する行又は互いに隣接する列に表示することで、処方の連続性の誤認や過去の処方履歴の見落としを防ぐことができる。なお、図６の含量が異なる場合の例のように先発医薬品の行に後発医薬品を表示するようにしても構わない。この場合、同じ行に表示することで、後発医薬品への変化があったことを見落とす恐れが新たに生じるため、変化があった日について強調表示するとよい。
【００３４】
薬歴表は、各薬品について予め設定された重要度の高さに応じて、行の並び若しくは列の並びをソートする又は強調表示するようにしてもよい。各薬品の重要度は任意に設定して構わない。強調表示の方法は任意であり、例えば、文字の字体、サイズ、フォントを変える、欄の背景を着色する等の方法が挙げられる。例えば、重要度が設定されていない図２の例において、Ｆ錠に高い重要度を設定したとき、Ｆ錠の処方内容を図９に示すように先頭行にソートして表示する。
【００３５】
これにより、重要な疾患に係る薬品の過去の処方履歴の見落としを防ぐことができる。
【００３６】
本発明の薬歴情報提供装置における各機能・処理は、必要に応じ併合・分割・順序の変更を行っても構わない。また、本発明において表現されている技術的思想の範囲内で適宜変更が可能であり、その様な変更又は改良を加えた形態も本発明の技術的範囲に含まれる。
【符号の説明】
【００３７】
１０  薬歴情報提供装置
１１  薬歴記憶手段
１２  薬歴表生成手段
１３  出力手段
２０  ネットワーク
２１  通信手段
３０  端末装置
【図１】
0006562501.tif 000002
【図２】
0006562501.tif 000003
【図３】
0006562501.tif 000004
【図４】
0006562501.tif 000005
【図５】
0006562501.tif 000006
【図６】
0006562501.tif 000007
【図７】
0006562501.tif 000008
【図８】
0006562501.tif 000009
【図９】
0006562501.tif 000010